【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
コンピューティング・デバイスが、電子広告ディスプレイのビュー内に位置する複数の個人を識別する個人識別工程であって、該個人はソーシャル・ネットワーキング・システムのユーザであり、該ソーシャル・ネットワーキング・システムは、複数のノードと該ノードを接続するエッジとを含むグラフを含み、各ユーザについて、該グラフの少なくとも１つのノードが該ユーザに対応する、前記個人識別工程と、
前記コンピューティング・デバイスが、前記個人に対応する該グラフのノードに関連付けられているデータ、または前記個人に対応するノードに接続されているエッジに関連付けられているデータから、前記個人のうちの１または複数の各々に関する１または複数の属性を決定する属性決定工程と、
前記コンピューティング・デバイスが、前記電子広告ディスプレイによって前記個人に提示される広告の選択のために前記属性を提供する属性提供工程であって、該選択は、前記属性のうちの１または複数に少なくとも部分的に基づく、前記属性提供工程と、を備える方法。
【請求項２】
前記個人識別工程は、電子広告ディスプレイのビュー内に位置する複数の個人を識別する情報を受信する工程を含む、請求項１に記載の方法。
【請求項３】
前記属性決定工程は、前記個人のうちの１または複数の各々に関する１または複数の属性の照会に応答して、前記個人のうちの１または複数の各々に関する１または複数の属性を受信する工程を含む、請求項１に記載の方法。
【請求項４】
前記属性提供工程は、提供される属性に基づいて、前記電子広告ディスプレイによって提示される広告を選択する工程を含む、請求項１に記載の方法。
【請求項５】
前記コンピューティング・デバイスが、
１または複数の広告に各々関連付けられている複数の入札を受信する工程と、
前記複数の入札から入札を選択する工程と、
前記電子広告ディスプレイによって前記個人に提示される前記広告を選択する工程であって、該選択は前記複数の入札から選択された前記入札に少なくとも部分的に基づく、前記工程と、をさらに備える、請求項１に記載の方法。
【請求項６】
前記複数の入札のうちの少なくとも１つは、前記個人のうちの１または複数の各々に関する前記１または複数の属性に少なくとも部分的に基づく、請求項５に記載の方法。
【請求項７】
前記個人のうちの１または複数の各々に関する前記１または複数の属性のうちの少なくとも１つは、
前記個人のうちの１または複数に対応する前記グラフのノード、または
前記個人のうちの１または複数に対応するノードに接続されているエッジに関連付けられている明示された情報から決定される、請求項１に記載の方法。
【請求項８】
前記個人のうちの１または複数の各々に関する前記１または複数の属性のうちの少なくとも１つは、
前記個人のうちの１または複数に対応する前記グラフのノード、または
前記個人のうちの１または複数に対応するノードに接続されているエッジに関連付けられている明示された情報から推論される非明示の情報から決定される、請求項１に記載の方法。
【請求項９】
前記個人のうちの１または複数の各々に関する前記１または複数の属性のうちの少なくとも１つは、
位置、
速度、または
向きのうちの１または複数を含む、請求項１に記載の方法。
【請求項１０】
前記個人のうちの１または複数の各々に関する前記１または複数の属性のうちの少なくとも１つは、個人に１または複数の広告を示した回数を含む、請求項１に記載の方法。
【請求項１１】
前記電子広告ディスプレイによって前記個人に提示される広告の選択は、
属性に関連付けられている個人の数、
属性に関連関連付けられている個人の割合、または
前記個人のうちの１または複数の速度に少なくとも部分的に基づく、請求項１に記載の方法。
【請求項１２】
ソフトウェアを具現化する１または複数の非一時的なコンピュータ可読記憶媒体であって、該ソフトウェアは、実行されたときに、
電子広告ディスプレイのビュー内に位置する複数の個人を識別する個人識別工程であって、該個人はソーシャル・ネットワーキング・システムのユーザであり、該ソーシャル・ネットワーキング・システムは、複数のノードと該ノードを接続するエッジとを含むグラフを含み、各ユーザについて、該グラフの少なくとも１つのノードが該ユーザに対応する、前記個人識別工程と、
前記個人に対応する該グラフのノードに関連付けられているデータ、または前記個人に対応するノードに接続されているエッジに関連付けられているデータから、前記個人のうちの１または複数の各々に関する１または複数の属性を決定する属性決定工程と、
前記電子広告ディスプレイによって前記個人に提示される広告の選択のために前記属性を提供する属性提供工程であって、該選択は、前記属性のうちの１または複数に少なくとも部分的に基づく、前記属性提供工程と、を行うように動作可能である、媒体。
【請求項１３】
前記個人識別工程を行うように動作可能であるソフトウェアは、電子広告ディスプレイのビュー内に位置する複数の個人を識別する情報を受信する工程を行うように動作可能であるソフトウェアを含む、請求項１２に記載の媒体。
【請求項１４】
前記属性決定工程を行うように動作可能であるソフトウェアは、前記個人のうちの１または複数の各々に関する１または複数の属性の照会に応答して、前記個人のうちの１または複数の各々に関する１または複数の属性を受信する工程を行うように動作可能であるソフトウェアを含む、請求項１２に記載の媒体。
【請求項１５】
前記属性提供工程を行うように動作可能であるソフトウェアは、提供される属性に基づいて、前記電子広告ディスプレイによって提示される広告を選択する工程を行うように動作可能であるソフトウェアを含む、請求項１２に記載の媒体。
【請求項１６】
前記ソフトウェアは、
１または複数の広告に各々関連付けられている複数の入札を受信する工程と、
前記複数の入札から入札を選択する工程と、
前記電子広告ディスプレイによって前記個人に提示される前記広告を選択する工程であって、該選択は前記複数の入札から選択された前記入札に少なくとも部分的に基づく、前記工程と、を行うようにさらに動作可能である、請求項１２に記載の媒体。
【請求項１７】
前記複数の入札のうちの少なくとも１つは、前記個人のうちの１または複数の各々に関する前記１または複数の属性に少なくとも部分的に基づく、請求項１６に記載の媒体。
【請求項１８】
前記ソフトウェアは、前記個人のうちの１または複数の各々に関する前記１または複数の属性のうちの少なくとも１つを、
前記個人のうちの１または複数に対応する前記グラフのノード、または
前記個人のうちの１または複数に対応するノードに接続されているエッジに関連付けられている明示された情報から決定するようにさらに動作可能である、請求項１２に記載の媒体。
【請求項１９】
前記ソフトウェアは、前記個人のうちの１または複数の各々に関する前記１または複数の属性のうちの少なくとも１つを、
前記個人のうちの１または複数に対応する前記グラフのノード、または
前記個人のうちの１または複数に対応するノードに接続されているエッジに関連付けられている明示された情報から推論される非明示の情報から決定するようにさらに動作可能である、請求項１２に記載の媒体。
【請求項２０】
システムであって、
１または複数のプロセッサと、
該プロセッサに結合されているメモリであって、該プロセッサによって実行可能な命令を含むメモリと、を備え、該プロセッサは該命令を実行するとき、
電子広告ディスプレイのビュー内に位置する複数の個人を識別する個人識別工程であって、該個人はソーシャル・ネットワーキング・システムのユーザであり、該ソーシャル・ネットワーキング・システムは、複数のノードと該ノードを接続するエッジとを含むグラフを含み、各ユーザについて、該グラフの少なくとも１つのノードが該ユーザに対応する、前記個人識別工程と、
前記個人に対応する該グラフのノードに関連付けられているデータ、または前記個人に対応するノードに接続されているエッジに関連付けられているデータから、前記個人のうちの１または複数の各々に関する１または複数の属性を決定する属性決定工程と、
前記電子広告ディスプレイによって前記個人に提示される広告の選択のために前記属性を提供する属性提供工程であって、該選択は、前記属性のうちの１または複数に少なくとも部分的に基づく、前記属性提供工程と、を行うように動作可能である、システム。